【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
患者の矯正レンズ処方を決定する方法であって、別個に、前記患者の各眼について、
屈折器レンズアセンブリを使用せずにコンピュータ制御スクリーンを介して前記患者の乱視処方を決定するステップであり、該患者の乱視処方を決定するステップは、前記コンピュータ制御スクリーンを介して前記患者に少なくとも２つの円筒図形を連続的に提示すること及び円筒図形につき少なくとも１つの入力を前記患者に選択させることを可能にすることによって、乱視構成要素に対する検査を行うことを含み、円筒図形についての前記少なくとも１つの入力が、前記患者の前記矯正レンズ処方を決定するために使用される乱視度数に対応する、ステップを含む、方法。
【請求項２】
前記コンピュータ制御スクリーンを介して前記患者の前記乱視処方を決定するステップが、
前記コンピュータ制御スクリーンを介して前記患者に軸図形を提示するステップと、
前記患者に、乱視軸角度に対応する少なくとも１つの入力を選択させることを可能にするステップと、
をさらに含む、請求項１に記載の方法。
【請求項３】
当該方法がインターネットを介して提供される、請求項１に記載の方法。
【請求項４】
少なくとも１つの円筒図形及び前記軸図形が同じ図形である、請求項２に記載の方法。
【請求項５】
前記患者の瞳孔間距離測定値を求めるステップをさらに含む、請求項１に記載の方法。
【請求項６】
前記決定された乱視処方を、再検討及び承認のために少なくとも１人の医師に送信するステップをさらに含む、請求項１に記載の方法。
【請求項７】
患者の矯正レンズ処方を決定する方法であって、別個に、前記患者の各眼について、
（ａ）屈折器レンズアセンブリを使用せずにコンピュータ制御スクリーンを介して前記患者の乱視処方を決定するステップであり、該患者の乱視処方を決定するステップは、前記コンピュータ制御スクリーンを介して前記患者に少なくとも２つの円筒図形を連続的に提示すること及び円筒図形につき少なくとも１つの入力を前記患者に選択させることを可能にすることによって、乱視構成要素に対する検査を行うことを含み、円筒図形についての前記少なくとも１つの入力が、前記患者の前記矯正レンズ処方を決定するために使用される乱視度数に対応する、ステップと、
（ｂ）屈折器レンズアセンブリを使用せずに前記コンピュータ制御スクリーンを介して前記患者の前記矯正レンズ処方の屈折力を決定するステップと
を含む、方法。
【請求項８】
前記患者の瞳孔間距離測定値を求めるステップをさらに含む、請求項７に記載の方法。
【請求項９】
前記コンピュータ制御スクリーンを介して前記患者の前記乱視処方を決定するステップが、
前記コンピュータ制御スクリーンを介して前記患者に軸図形を提示するステップと、
前記患者に、乱視軸角度に対応する入力を選択させることを可能にするステップと、
をさらに含む、請求項７に記載の方法。
【請求項１０】
少なくとも１つの円筒図形及び前記軸図形が同じ図形である、請求項９に記載の方法。
【請求項１１】
前記決定された乱視処方及び前記決定された屈折力処方の少なくとも１つを、再検討及び承認のために少なくとも１人の医師に送信するステップをさらに含む、請求項９に記載の方法。
【請求項１２】
前記コンピュータ制御スクリーンを介して前記患者の前記矯正レンズ処方の前記屈折力を決定するステップが、
（ｉ）前記コンピュータ制御スクリーンを介して患者に第１の図を提示するステップであって、前記第１の図が小さすぎて前記患者に明瞭に見えない、提示するステップと、
（ｉｉ）前記患者に少なくとも１つの入力を行わせて、前記第１の図が前記患者によってかろうじて認識することができるようになるまで前記第１の図のサイズを増大させることを可能にするステップであって、前記少なくとも１つの入力が第１の球面度数に対応する、可能にするステップと、
を含む、請求項９に記載の方法。
【請求項１３】
前記コンピュータ制御スクリーンを介して前記患者の前記矯正レンズ処方の前記屈折力を決定するステップが、
（ｉｉｉ）前記コンピュータ制御スクリーンを介して患者に第２の図を提示するステップであって、前記第２の図が前記患者に明瞭に見えるように十分に大きい、提示するステップと、
（ｉｖ）前記患者に少なくとも１つの入力を行わせて、前記第２の図が前記患者によってもはや認識することができなくなるまで前記第２の図のサイズを低減することを可能にするステップであって、前記少なくとも１つの入力が第２の球面度数に対応する、可能にするステップと、
を含む、請求項１２に記載の方法。
【請求項１４】
最終的な球面度数が、前記第１の球面度数及び前記第２の球面度数に少なくとも部分的に基づく、請求項１３に記載の方法。
【請求項１５】
前記コンピュータ制御スクリーンを介して前記患者に色分け図形を提示することによって、前記患者が近視又は遠視であるかを判定するステップと、
前記色分け図形の部分に対応する入力を前記患者に選択させることを可能にするステップと、
をさらに含む、請求項９に記載の方法。
【請求項１６】
前記判定が、矯正された眼に基づき、前記判定が、前記患者が過剰矯正又は矯正不足であるかを判定する、請求項１５に記載の方法。
【請求項１７】
前記コンピュータ制御スクリーンが、２つ以上のコンピュータ制御スクリーンを含む、請求項９に記載の方法。
【請求項１８】
ステップ（ｉ）及び（ｉｉ）、又はステップ（ｉｉｉ）及び（ｉｖ）の少なくとも１つが少なくとも１回反復される、請求項１４に記載の方法。
【請求項１９】
前記患者の前記矯正レンズ処方の決定が、前記患者の以前の矯正レンズ処方に少なくとも部分的に基づく、請求項９に記載の方法。
【請求項２０】
複数の命令を含む非一時的コンピュータ可読媒体であって、前記複数の命令は、少なくとも１つのプロセッサによって実行されると、前記少なくとも１つのプロセッサが、少なくとも１つの表示デバイス及び少なくとも１つの入力デバイスとともに、患者の矯正レンズ処方を決定するように前記少なくとも１つのプロセッサを動作させ、前記矯正レンズ処方の決定が、患者の各眼について、
（ａ）前記患者の乱視処方を、
（ｉ）コンピュータ制御スクリーンを介して前記患者に第１の図形を提示するステップと、
（ｉｉ）前記患者に、乱視軸角度に対応する入力を選択させることを可能にするステップと、
（ｉｉｉ）前記コンピュータ制御スクリーンを介して前記患者に少なくとも２つの円筒図形を連続的に提示するステップと、
（ｉｖ）前記患者が、円筒図形につき少なくとも１つの入力を選択させることを可能にするステップであり、円筒図形についての前記少なくとも１つの入力が、前記患者の前記矯正レンズ処方を決定するために使用される乱視度数に対応する、ステップと、
を実行することによって、屈折器レンズアセンブリを使用せずに決定するステップと、
（ｂ）前記患者の屈折力処方を、
（ｉ）前記コンピュータ制御スクリーンを介して患者に第１の図を提示するステップであって、前記第１の図が小さすぎて前記患者に明瞭に見えない、提示するステップと、
（ｉｉ）前記患者に少なくとも１つの入力を行わせて、前記第１の図が前記患者によってかろうじて認識することができるようになるまで前記第１の図のサイズを増大させることを可能にするステップであって、前記少なくとも１つの入力が第１の球面度数に対応する、可能にするステップと、
（ｉｉｉ）前記コンピュータ制御スクリーンを介して患者に第２の図を提示するステップであって、前記第２の図が前記患者に明瞭に見えるように十分に大きい、提示するステップと、
（ｉｖ）前記患者に少なくとも１つの入力を行わせて、前記第２の図が前記患者によってもはや認識することができなくなるまで前記第２の図のサイズを低減することを可能にするステップであって、前記少なくとも１つの入力が第２の球面度数に対応する、可能にするステップと、
を実行することによって、屈折器レンズアセンブリを使用せずに決定するステップと、
を含み、
最終的な球面度数が、前記第１の球面度数及び前記第２の球面度数に少なくとも部分的に基づく、非一時的コンピュータ可読媒体。
【手続補正２】
【補正対象書類名】明細書
【補正対象項目名】０２０７
【補正方法】変更
【補正の内容】
【０２０７】
[0207]本明細書に開示している現在好ましい実施形態に対する様々な変更及び修正が当業者に明らかになることが理解されるべきである。本発明の主題の精神及び範囲から逸脱することなく、また、本発明の主題の意図される利点を減少させることなく、そのような変更及び修正を行うことができる。それゆえ、そのような変更及び修正は、添付の特許請求の範囲によってカバーされることが意図されている。
［発明の項目］
［項目１］
患者の矯正レンズ処方を決定する方法であって、別個に、前記患者の各眼について、
コンピュータ制御スクリーンを介して前記患者の乱視処方を決定するステップを含む、方法。
［項目２］
前記コンピュータ制御スクリーンを介して前記患者の前記乱視処方を決定するステップが、
（ｉ）前記コンピュータ制御スクリーンを介して前記患者に第１の図形を提示するステップと、
（ｉｉ）前記患者に、乱視軸角度に対応する少なくとも１つの入力を選択させることを可能にするステップと、
（ｉｉｉ）前記コンピュータ制御スクリーンを介して患者に第２の図形を提示するステップと、
（ｉｖ）前記患者に、乱視度数に対応する少なくとも１つの入力を選択させることを可能にするステップと、
を含む、項目１に記載の方法。
［項目３］
当該方法がインターネットを介して提供される、項目１に記載の方法。
［項目４］
前記第１の図形及び前記第２の図形が異なる図形である、項目２に記載の方法。
［項目５］
前記患者の瞳孔間距離測定値を求めるステップをさらに含む、項目１に記載の方法。
［項目６］
前記決定された乱視処方を、再検討及び承認のために少なくとも１人の医師に送信するステップをさらに含む、項目１に記載の方法。
［項目７］
患者の矯正レンズ処方を決定する方法であって、別個に、前記患者の各眼について、
（ａ）コンピュータ制御スクリーンを介して前記患者の乱視処方を決定するステップと、
（ｂ）前記コンピュータ制御スクリーンを介して前記患者の前記矯正レンズ処方の屈折力を決定するステップと
を含む、方法。
［項目８］
前記患者の瞳孔間距離測定値を求めるステップをさらに含む、項目７に記載の方法。
［項目９］
前記コンピュータ制御スクリーンを介して前記患者の前記乱視処方を決定するステップが、
（ｉ）前記コンピュータ制御スクリーンを介して前記患者に第１の図形を提示するステップと、
（ｉｉ）前記患者に、乱視軸角度に対応する入力を選択させることを可能にするステップと、
（ｉｉｉ）前記コンピュータ制御スクリーンを介して患者に第２の図形を提示するステップと、
（ｉｖ）前記患者に、乱視度数に対応する少なくとも１つの入力を選択させることを可能にするステップと
を含む、項目７に記載の方法。
［項目１０］
前記第１の図形及び前記第２の図形が異なる図形である、項目９に記載の方法。
［項目１１］
前記決定された乱視処方及び屈折力処方を、再検討及び承認のために少なくとも１人の医師に送信するステップをさらに含む、項目９に記載の方法。
［項目１２］
前記コンピュータ制御スクリーンを介して前記患者の前記矯正レンズ処方の前記屈折力を決定するステップが、
（ｉ）前記コンピュータ制御スクリーンを介して患者に第１の図を提示するステップであって、前記第１の図が小さすぎて前記患者に明瞭に見えない、提示するステップと、
（ｉｉ）前記患者に少なくとも１つの入力を行わせて、前記第１の図が前記患者によってかろうじて認識することができるようになるまで前記第１の図のサイズを増大させることを可能にするステップであって、前記少なくとも１つの入力が第１の球面度数に対応する、可能にするステップと、
を含む、項目９に記載の方法。
［項目１３］
前記コンピュータ制御スクリーンを介して前記患者の前記矯正レンズ処方の前記屈折力を決定するステップが、
（ｉｉｉ）前記コンピュータ制御スクリーンを介して患者に第２の図を提示するステップであって、前記第２の図が前記患者に明瞭に見えるように十分に大きい、提示するステップと、
（ｉｖ）前記患者に少なくとも１つの入力を行わせて、前記第２の図が前記患者によってもはや認識することができなくなるまで前記第２の図のサイズを低減することを可能にするステップであって、前記少なくとも１つの入力が第２の球面度数に対応する、可能にするステップと、
を含む、項目１２に記載の方法。
［項目１４］
最終的な球面度数が、前記第１の球面度数及び前記第２の球面度数に少なくとも部分的に基づく、項目１３に記載の方法。
［項目１５］
前記コンピュータ制御スクリーンを介して前記患者に色分け図形を提示することによって、前記患者が近視又は遠視であるかを判定するステップと、
前記色分け図形の部分に対応する入力を前記患者に選択させることを可能にするステップと、
をさらに含む、項目９に記載の方法。
［項目１６］
前記判定が、矯正された眼に基づき、前記判定が、前記患者が過剰矯正又は矯正不足であるかを判定する、項目１５に記載の方法。
［項目１７］
前記コンピュータ制御スクリーンが、２つ以上のコンピュータ制御スクリーンを含む、項目９に記載の方法。
［項目１８］
ステップ（ｉ）及び（ｉｉ）、又はステップ（ｉｉｉ）及び（ｉｖ）の少なくとも１つが少なくとも１回反復される、項目１２に記載の方法。
［項目１９］
前記患者の前記矯正レンズ処方の決定が、前記患者の以前の矯正レンズ処方に少なくとも部分的に基づく、項目９に記載の方法。
［項目２０］
複数の命令を含む非一時的コンピュータ可読媒体であって、前記複数の命令は、少なくとも１つのプロセッサによって実行されると、前記少なくとも１つのプロセッサが、少なくとも１つの表示デバイス及び少なくとも１つの入力デバイスとともに、患者の矯正レンズ処方を決定するように前記少なくとも１つのプロセッサを動作させ、前記矯正レンズ処方の決定が、患者の各眼について、
（ａ）前記患者の乱視処方を、
（ｉ）コンピュータ制御スクリーンを介して前記患者に第１の図形を提示するステップと、
（ｉｉ）前記患者に、乱視軸角度に対応する入力を選択させることを可能にするステップと、
（ｉｉｉ）前記コンピュータ制御スクリーンを介して患者に第２の図形を提示するステップと、
（ｉｖ）前記患者が、乱視度数に対応する少なくとも１つの入力を選択させることを可能にするステップと、
を実行することによって、決定するステップと、
（ｂ）前記患者の屈折力処方を、
（ｉ）前記コンピュータ制御スクリーンを介して患者に第１の図を提示するステップであって、前記第１の図が小さすぎて前記患者に明瞭に見えない、提示するステップと、
（ｉｉ）前記患者に少なくとも１つの入力を行わせて、前記第１の図が前記患者によってかろうじて認識することができるようになるまで前記第１の図のサイズを増大させることを可能にするステップであって、前記少なくとも１つの入力が第１の球面度数に対応する、可能にするステップと、
（ｉｉｉ）前記コンピュータ制御スクリーンを介して患者に第２の図を提示するステップであって、前記第２の図が前記患者に明瞭に見えるように十分に大きい、提示するステップと、
（ｉｖ）前記患者に少なくとも１つの入力を行わせて、前記第２の図が前記患者によってもはや認識することができなくなるまで前記第２の図のサイズを低減することを可能にするステップであって、前記少なくとも１つの入力が第２の球面度数に対応する、可能にするステップと、
を実行することによって、決定するステップと、
を含み、
最終的な球面度数が、前記第１の球面度数及び前記第２の球面度数に少なくとも部分的に基づく、非一時的コンピュータ可読媒体。